(57)【要約】      （修正有）【課題】化粧柱材の構造として、柱材の四角に初めから段差のある意匠とし、躯体（柱、胴縁、ケイカル板）の寸法が変わっても、基本的な意匠が変わらない統一性のある構造にした化粧柱材を提供する。【解決手段】中心に芯となる柱２を持ち、その周囲の四方向から化粧板７を取付けた化粧柱材１において、前記化粧板７の横方向のどちらか一端で、且つ裏面側に縦方向に沿って切欠を形成する。切欠に隣り合う化粧板７の横方向の反切欠側端を当接させる。【選択図】図１
0003184145.tif 000002
【実用新案登録請求の範囲】
【請求項１】
中心に芯となる柱を持ち、その周囲の四方向から化粧板を取付けた化粧柱材において、
前記化粧板の横方向のどちらか一端で、且つ裏面側に縦方向に沿って切欠を形成すると共に、その切欠に隣り合う化粧板の横方向の反切欠側端を当接させるようにしたことを特徴とする化粧柱材。
【請求項２】
前記柱と前記化粧板との間に柱側より胴縁、ケイカル板を配置したことを特徴とする請求項１記載の化粧柱材。
【請求項３】
前記切欠は、前記化粧板を木口方向から見て横方向部位と厚さ方向部位とから成り、前記横方向部位が前記化粧板の厚み又はそれより小さい寸法の調整代となっていることを特徴とする請求項１記載の化粧柱材。
【考案の詳細な説明】
【技術分野】
【０００１】
この考案は、芯材の表面に天然木その他の化粧板を接着させて成る化粧柱材に関する。
【背景技術】
【０００２】
住宅用柱に耐火性や装飾性を持たせるため、化粧柱材が用いられている。この化粧柱材５１は、図６に示すように、中心の柱５２の外側に胴縁５３を介してケイカル板５４を配し、それからその外側に化粧板５５を配して作られている。
【０００３】
化粧柱材５１では、芯となる柱５２、胴縁５３、ケイカル板５４の厚さ寸法が異なるいくつかの種類があり、しかも各部材の寸法にバラツキもあって、外側に配される化粧板５５同士の突き合せ部に隙間が生じ、あるいは図７に示すように、一方の化粧板５５が他方の化粧板５５より突き出してしまう問題点があった。そのため、柱５２、胴縁５３、ケイカル板５４の寸法に合わせて化粧板５５の横方向寸法を修正して組付けており、コスト増となっていた。
【０００４】
一般例では、胴縁が１５ｍｍであるが、中には１８ｍｍの胴縁もあり、この場合には、躯体（柱、胴縁、ケイカル板）の寸法が一般仕様より６ｍｍも大きくなるため、図７に示す状態となる。胴縁が１５ｍｍの場合には、先に示した図６のように正方形の外形になるが、胴縁が１８ｍｍの場合は、同一の化粧板を使用すると、一方の化粧板が他方の化粧板より突き出して四角に段差が生じ、違和感から、意匠上の統一性が失われていた。
【０００５】
化粧柱材は、種々の技術が開発され、例えば、特許文献１、特許文献２が開示されているが、下記する本願の目的を持つものは無い。
【先行技術文献】
【特許文献】
【０００６】
【特許文献１】特開平１１−１７９７０９号公報
【特許文献２】特開２００６−２４７９５３号公報
【考案の概要】
【考案が解決しようとする課題】
【０００７】
この考案は、化粧柱材の構造として、柱材の四角に初めから段差のある意匠とし、躯体（柱、胴縁、ケイカル板）の寸法が変わっても、基本的な意匠が変らない統一性の構造にした化粧柱材を提供することを目的とする。
【課題を解決するための手段】
【０００８】
この考案は、中心に芯となる柱を持ち、その周囲の四方向から化粧板を取付けた化粧柱材において、前記化粧板の横方向のどちらか一端で、且つ裏面側に縦方向に沿って切欠を形成すると共に、その切欠に隣り合う化粧板の横方向の反切欠側端を当接させるようにしたことにある（請求項１）。
【０００９】
このため、躯体の外側に配される化粧板の一端に形成される切欠に隣り合う化粧板の横方向の反切欠側端が当接されることから、四角には段差を持つ統一的な意匠が表われる。化粧板の切欠には、反切欠側端が当接しており、その当接寸法が修正されることで、躯体の寸法の増減を修正し、四角に段差のある基本意匠を逸脱することなく、統一性のある意匠を持つ化粧柱材を提供できる。
【００１０】
前記化粧柱材にあって、前記柱と前記化粧板との間に柱側から胴縁、ケイカル板が配されることが好ましい（請求項２）。このケイカル板にて耐火性を担保している。
【００１１】
前記切欠は、前記化粧板を木口方向から見て横方向部位と厚さ方向部位とからなり、前記横方向部位が前記化粧板の厚み、又はそれより小さい寸法とすることが好ましい（請求項３）。このため、横方向部位の寸法から、化粧柱材の四角に常に段差を生じさせることになる。ちなみに、胴縁が１５ｍｍと１８ｍｍとでは、６ｍｍの当接寸法の変更となり、化粧柱材の四角に段差が生まれる。
【考案の効果】
【００１２】
以上のように、請求項１記載の考案によれば、化粧柱材にあって、四角にその縦方向に段差を生じさせ、躯体の寸法が変わっても、基本的な意匠が変わらない統一性のある構造の化粧柱材を提供することができる。躯体の寸法の変更は、段差で吸収され、基本的な意匠を変更させることにはならない。これにより化粧板は現物合せにより修正することなく、組付ができることからコストの引き下げに寄与できる。
【００１３】
請求項３記載の考案によれば、切欠の横方向部位に隣り合う化粧板の反切欠側端を当接させることから、化粧柱材の四角に段差を生じさせることができ、統一性のある化粧柱材の提供に寄与できる。
【図面の簡単な説明】
【００１４】
【図１】この考案に係る化粧柱材の斜視図である。
【図２】同上の拡大図である。
【図３】化粧板の木口方向から見た上面図である。
【図４】同上の斜視図である。
【図５】躯体の寸法の異なる化粧柱材の上面図である。
【図６】従来の製造例による化粧柱材の上面図である。（胴縁１５ｍｍ時）
【図７】従来の製造例による化粧柱材の上面図である。（胴縁１８ｍｍ時）
【実施例１】
【００１５】
図１には化粧柱材１の斜視図が、図２には同上の拡大上面図が示され、中心に芯となる１０５ｍｍ角の柱２が立設され、その柱２の四方で一面に２個の胴縁３が接着されている。この胴縁３の厚さは１５ｍｍで、縦に長い部材である。
【００１６】
それから、この胴縁３の外側に、厚み１２ｍｍ、巾１５８ｍｍのケイカル板４が四つの面に４つが接着されている。このケイカル板４に覆われて前記柱２と胴縁３とで躯体６が構成され、横巾が１５８ｍｍの断面四角形となっている。この躯体６の外側の四方に下記する化粧板７が接着されている。なおケイカル板は、水酸化カルシウムと砂とを混合してオートクレーブにて処理して製造された耐火性断熱材であり、これを用いて化粧柱材１の耐火構造としている。
【００１７】
化粧板７は、図３，図４にも示すように、天然木その他の材料で作られ、厚さが２０ｍｍ、横幅が１７８ｍｍ、長さは１８０ｍｍ程の板材で、表面側は化粧が施され、裏面側は接着面となっている。それから、横方向の一端、図示例では右端で裏面側で縦方向に切欠９が形成されている。この切欠９は、横方向部位９ａと厚さ方向部位９ｂとから成り、横方向部位は調整代となっていて１４ｍｍ、縦方向部位は１０ｍｍである。
【００１８】
上述の構成の化粧板７は、躯体６に接着されるが、まず一つの化粧板７を躯体６の一つのケイカル板４に対し、反切欠側端を１０ｍｍ突出させて接着する。それから、反時計回りに２つ目の化粧板７の反切欠側端を切欠９の横方向部位９ａに当接させて接着する。そして３つ目も４つ目も同様に接着する。すると、図１，図２に示すように化粧柱材１の四角に段差１１が表われる。即ち、常に四角に四つの段差１１を持つ化粧柱材１が得られる。切欠９の横方向部位９ａと隣り合う化粧板７の反切欠側端の当接寸法が９ｍｍとなっている。
【００１９】
図５において、胴縁３が１８ｍｍとなった例が示されている。胴縁３の厚みが３ｍｍ増加すると、切欠９の横方向部位９ａと隣り合う化粧板７の反切欠側端の当接寸法は３ｍｍとなる。このように、寸法の変更があっても吸収され、同一の寸法の化粧板７を用いることができる。そして、化粧柱材１はその四角に段差１１も表われ、基本的な意匠が変わらない統一性のある構成となっている。また、寸法変動による修正作業が増加せず、コストの引き下げに寄与できるものでもある。なお、その他の部分は前記例と同一のため同一の符号を付して、説明を省略した。なお、ここに示した数字は、作用効果を説明するために付したもので、各部材がこの数字に限定されるものではないことは勿論である。
【符号の説明】
【００２０】
１  化粧柱材
２  柱
３  胴縁
４  ケイカル板
６  躯体
７  化粧板
９  切欠
９ａ  横方向部位
９ｂ  厚さ方向部位
１１  段差
【図１】
0003184145.tif 000003
【図２】
0003184145.tif 000004
【図３】
0003184145.tif 000005
【図４】
0003184145.tif 000006
【図５】
0003184145.tif 000007
【図６】
0003184145.tif 000008
【図７】
0003184145.tif 000009